(57)【要約】【課題】  建造物躯体への負担を軽減すると共に、防水工事の不具合箇所をピンポイントで確実に検知することが可能な、建造物の屋上等における防水性を調査するための方法の提供を図る。【解決手段】  建造物の屋上等屋外設備における防水性を調査するための方法であって、  建造物躯体上に施工された防水層の所定箇所に建造物躯体まで貫通する所要径を有する貫通孔を開け、該貫通孔から識別気体を圧入して建造物躯体と防水層との間に充満させ、防水層の表面及び周縁並びに建造物躯体から漏出した識別気体を検知具により検知することで、建造物の屋上等屋外設備における防水性を調査する。【選択図】図１
2014129654.tif 000002
【特許請求の範囲】
【請求項１】
建造物の屋上等屋外設備における防水性を調査するための方法であって、
建造物躯体上に施工された防水層の所定箇所に建造物躯体まで貫通する所要径を有する貫通孔を開け、該貫通孔から識別気体を圧入して建造物躯体と防水層との間に充満させ、防水層の表面及び周縁並びに建造物躯体から漏出した識別気体を検知具により検知することで、建造物の屋上等屋外設備における防水性を調査することを特徴とする建造物屋上等防水調査方法。
【請求項２】
前記建造物屋上等防水調査方法において、
防水層上に一乃至複数の脱気筒が備えられている場合に、該脱気筒を予め閉塞しておくことで、前記貫通孔から圧入された識別気体が脱気筒から漏出するのを防止することを特徴とする建造物屋上等防水調査方法。
【請求項３】
前記建造物屋上等防水調査方法において、
防水層上に一乃至複数の脱気筒が備えられている場合に、前記貫通孔に代えていずれか一の脱気筒から識別気体を圧入することを特徴とする請求項１または請求項２に記載の建造物屋上等防水調査方法。
【請求項４】
前記建造物屋上等防水調査方法において、
前記識別気体が、炭酸ガスであることを特徴とする請求項１から請求項３のいずれかに記載の建造物屋上等防水調査方法。
【発明の詳細な説明】
【技術分野】
【０００１】
本発明は、建造物の屋上やベランダ、バルコニーなどの屋外設備における防水性を調査するための方法に関するものである。
【背景技術】
【０００２】
建造物における屋上やベランダ、バルコニーなど雨曝しになる屋外設備において、雨水などが建造物内に漏水するのを防止すべく、防水工事が行われる。かかる防水工事としては、建造物躯体上に断熱材を敷設し、その上に防水シートを敷設して、最終的に防水塗装するなどの方法が採られている。
【０００３】
防水工事が完了した後、かかる防水工事による防水性を診断すべく防水調査を行うこととなるが、かかる防水調査の基準等は確立しておらず、現場ごとの対応となっているのが現状である。そこで従来の防水調査は、防水工事が完了したエリア全体に対し、実際に水張りをした上で２４〜４８時間程度の経過観察を行い、建造物躯体内への漏水の有無を確認する方法が採られている。
【０００４】
しかしながら、上記水張りによる方法によると、実際のところ屋上等の立ち上がり箇所全体まで水を張ることは不可能であり、したがって確認できない箇所がどうしても存在することとなって、完璧な調査方法とはいえないものであった。また、防水工事エリア全体に水を張ることは、建造物躯体に相応の重量負担がかかることとなって、躯体への損傷を招く恐れもあった。さらに、仮に建造物内で漏水の発生を検知したとしても、防水工事エリアのどの箇所に問題があるのかについて、特定することは困難なものであった。
【先行技術文献】
【特許文献】
【０００５】
【特許文献１】特開２００５−２７４２４２号公報
【特許文献２】特開２００４−４５２２６号公報
【特許文献３】特開２００２−５５０１５号公報
【特許文献４】特開平１０−１７０３１３号公報
【発明の概要】
【発明が解決しようとする課題】
【０００６】
本発明は、上記問題点を鑑み、建造物躯体への負担を軽減すると共に、防水工事の不具合箇所をピンポイントで確実に検知することが可能な、建造物の屋上等における防水性を調査するための方法を提供することを目的とするものである。
【課題を解決するための手段】
【０００７】
上記目的を達成するため、請求項１記載の本発明は、建造物の屋上等屋外設備における防水性を調査するための方法であって、建造物躯体上に施工された防水層の所定箇所に建造物躯体まで貫通する所要径を有する貫通孔を開け、該貫通孔から識別気体を圧入して建造物躯体と防水層との間に充満させ、防水層の表面及び周縁並びに建造物躯体から漏出した識別気体を検知具により検知することで、建造物の屋上等屋外設備における防水性を調査する方法を採用する。
【０００８】
また、請求項２記載の本発明は、前記方法において、防水層上に一乃至複数の脱気筒が備えられている場合に、該脱気筒を予め閉塞しておくことで、前記貫通孔から圧入された識別気体が脱気筒から漏出するのを防止する方法を採用している。
【０００９】
さらに、請求項３記載の本発明は、前記方法において、防水層上に一乃至複数の脱気筒が備えられている場合に、前記貫通孔に代えていずれか一の脱気筒から識別気体を圧入する方法を採用している。
【００１０】
またさらに、請求項４記載の本発明は、前記方法において、前記識別気体が、炭酸ガスである方法を採用している。
【発明の効果】
【００１１】
本発明にかかる建造物屋上等防水調査方法よれば、従来の水張りによる調査では確認不可能であった屋上等の立ち上がり箇所なども確実に調査することが可能であって、防水工事における不具合箇所を確実に検知することができるといった、従来にはない優れた効果を奏するものである。
【００１２】
また、本発明にかかる建造物屋上等防水調査方法よれば、防水工事のどの箇所に不具合が生じているのかをピンポイントで正確に検知することが可能であり、検知後の補修工事のための情報提供にも大いに資するといった、従来にはない優れた効果を奏するものである。
【００１３】
さらに、本発明にかかる建造物屋上等防水調査方法よれば、従来のように防水工事エリアに水を張って調査する必要がないため、作業的に簡易な方法で行うことができると共に、建造物躯体への負担を軽減した防水性の調査が可能となる。
【図面の簡単な説明】
【００１４】
【図１】本発明にかかる建造物屋上等防水調査方法の実施態様を示す概略説明図である。（実施例１）
【図２】本発明にかかる建造物屋上等防水調査方法の実施態様を示す概略説明図である。（実施例２）
【発明を実施するための形態】
【００１５】
本発明は、建造物の屋上等屋外設備における防水性を調査するに際し、建造物躯体上に施工された防水層の所定箇所に建造物躯体まで貫通する所要径を有する貫通孔を開け、該貫通孔から識別気体を圧入して建造物躯体と防水層との間に充満させ、防水層の表面及び周縁並びに建造物躯体から漏出した識別気体を検知具により検知することで、建造物の屋上等屋外設備における防水性を調査することを最大の特徴とする。以下、本発明にかかる建造物屋上等防水調査方法の実施形態を、図面に基づき説明する。
【００１６】
なお、本発明は、下記の実施形態に示した構成に特に限定されるものではなく、本発明の技術的思想の要旨に逸脱しない範囲で任意に変更することができるものである。
また、本発明における屋上等屋外設備とは、屋上だけでなく、雨に曝されるような屋外設備、具体的にはベランダやバルコニー、テラスなどの屋外設備を包含する概念である。
【実施例１】
【００１７】
図１は、本発明にかかる建造物屋上等防水調査方法の第一の実施例を示す説明図である。
すなわち、本実施例にかかる建造物屋上等防水調査方法は、貫通孔１０を開ける工程と、識別気体Ａを圧入する工程と、識別気体Ａを検知する工程の各工程から成る防水調査の方法である。
【００１８】
貫通孔１０を開ける工程では、建造物躯体１上に施工された防水層３の所定箇所に、貫通孔１０が開けられることとなる。該貫通孔１０は、所要径を有する縦孔であって、その深さについては、建造物躯体１まで貫通する深さとなる。なお、建造物躯体１と防水層３との間に断熱材２が敷設されている場合には、貫通孔１０は該断熱材２も貫通することとなる。該貫通孔１０は、識別気体Ａを圧入するための孔であって、すなわち、該貫通孔１０には識別気体Ａの圧入ノズル２２が装着される。
【００１９】
識別気体Ａを圧入する工程においては、識別気体圧入装置２０を使用して、識別気体Ａを建造物躯体１と防水層３との間に圧入することとなる。識別気体圧入装置２０の具体的構造については、特に限定するものではないが、例えば図面に示すように、識別気体Ａが封入されたボンベ２１にホース２３と圧入ノズル２２が装備された構造が考え得る。圧入ノズル２２が貫通孔１０に装着されることで、識別気体Ａがボンベ２１からホース２３及び圧入ノズル２２そして貫通孔１０を介して建造物躯体１と防水層３との間に圧入され、最終的に建造物躯体１と防水層３との間全体に識別気体Ａを充満させることとなる。
【００２０】
なお、建造物躯体１に防水工事が施される際に、防水層３上に一乃至複数の脱気筒１２が備えられる場合があり、圧入された識別気体Ａが該脱気筒１２から漏出して、防水工事の不具合箇所の検知に支障が生じることとなる。したがって、かかる脱気筒１２が備えられている場合には、識別気体Ａの漏出を防止すべく、識別気体Ａの圧入に際し該脱気筒１２を予め閉塞しておくことを要する。
【００２１】
使用される識別気体Ａについては、特に限定するものではないが、例えば炭酸ガスを使用することが考え得る。かかる識別気体Ａについて、空気よりも比重が軽い場合に、不具合箇所に該識別気体Ａが集中して溜まってしまうことがある。この点、本発明における識別気体Ａとして、空気よりも比重が重い炭酸ガスを使用することにより、建造物躯体１と防水層３との間全体に満遍なく該炭酸ガスが充満し、かつ、ガスの進行速度も速いため、次工程における検知見逃しがなくなると共に、検知作業を短時間で行うことができるというメリットを有する。
【００２２】
識別気体Ａを検知する工程では、前記圧入された識別気体Ａの漏出の有無について、検知装置３０を用いて検知することとなる。該検知装置３０は、防水層３の表面や周縁、建造物躯体１から識別気体Ａが漏れ出ているか否かを検知するものであり、かかる検知すべき箇所に設置されることとなる。
【００２３】
本発明にかかる建造物屋上等防水調査方法は、以上の各工程から構成される。すなわち、貫通孔１０から圧入された識別気体Ａは、建造物躯体１と防水層３との間に充満した後、防水工事の不具合箇所から漏れ出ることとなるが、必ずしも漏れ出るとは限らない。検知装置３０により識別気体Ａが検知された場合は、かかる検知箇所から識別気体Ａが漏れ出ていることを示しており、その箇所が即防水工事の不具合箇所であることを意味する。逆に、識別気体Ａが検知されなかった場合には、識別気体Ａの漏出がどこからも起こっていないこと示し、すなわち完璧な防水工事が行われたことを意味する。
【００２４】
本実施例にかかる建造物屋上等防水調査方法を用いることで、従来方法に比し防水調査における建造物躯体１への負担が軽減されると共に、作業的に簡易な方法で調査可能であって、さらに従来の水張りによる調査では確認不可能であった屋上等の立ち上がり箇所なども確実に調査可能であると共に、防水工事における不具合箇所をピンポイントで検知することが可能であるため、検知後の補修工事をする際に、大いに役立つこととなる。
【実施例２】
【００２５】
図２は、本発明にかかる建造物屋上等防水調査方法の第二の実施例を示す説明図である。
すなわち、本実施例にかかる建造物屋上等防水調査方法は、脱気筒１２に識別気体Ａの圧入ノズル２２を装着する工程と、識別気体Ａを圧入する工程と、識別気体Ａを検知する工程の各工程から成る防水調査の方法である。
【００２６】
脱気筒１２に圧入ノズル２２を装着する工程では、建造物躯体１上に施工された防水層３の所定箇所に備えられた脱気筒１２に、識別気体圧入装置２０の圧入ノズル２２が装着されることとなる。該脱気筒１２は、防水工事の施工に際し、コンクリートスラブから発生する湿り空気など、建造物躯体１と防水層３との間に含まれる水分を水蒸気として排出するために備えられるものである。したがって脱気筒１２は、防水層３の内外を繋ぐ中空の筒状体であって、かかる脱気筒１２から識別気体Ａを圧入することで、建造物躯体１と防水層３との間に識別気体Ａを圧入することが可能となる。
【００２７】
識別気体Ａを圧入する工程においては、識別気体圧入装置２０を使用して、識別気体Ａを建造物躯体１と防水層３との間に圧入することとなる。識別気体圧入装置２０の具体的構造については、特に限定するものではないが、例えば図面に示すように、識別気体Ａが封入されたボンベ２１にホース２３と圧入ノズル２２が装備された構造が考え得る。圧入ノズル２２が脱気筒１２に装着されることで、識別気体Ａがボンベ２１からホース２３及び圧入ノズル２２そして脱気筒１２を介して建造物躯体１と防水層３との間に圧入され、最終的に建造物躯体１と防水層３との間全体に識別気体Ａを充満させることとなる。
【００２８】
なお、建造物躯体１に防水工事が施される際に、防水層３上に前記圧入ノズル２２が装着される脱気筒１２とは別の複数の脱気筒１２が備えられている場合、圧入された識別気体Ａがかかる脱気筒１２から漏出して、防水工事の不具合箇所の検知に支障が生じることとなる。したがって、脱気筒１２が複数備えられている場合には、識別気体Ａの漏出を防止すべく、識別気体Ａの圧入に際し圧入ノズル２２装着用の脱気筒１２以外の脱気筒１２を予め閉塞しておくことを要する。
【００２９】
使用される識別気体Ａについては、上記第一の実施例同様、特に限定するものではなく、例えば炭酸ガスを使用することが考え得る。かかる識別気体Ａについて、空気よりも比重が軽い場合に、不具合箇所に該識別気体Ａが集中して溜まってしまうことがある。この点、本発明における識別気体Ａとして、空気よりも比重が重い炭酸ガスを使用することにより、建造物躯体１と防水層３との間全体に満遍なく該炭酸ガスが充満し、かつ、ガスの進行速度も速いため、次工程における検知見逃しがなくなると共に、検知作業を短時間で行うことができるというメリットを有する。
【００３０】
識別気体Ａを検知する工程では、前記圧入された識別気体Ａの漏出の有無について、検知装置３０を用いて検知することとなる。該検知装置３０は、防水層３の表面や周縁、建造物躯体１から識別気体Ａが漏れ出ているか否かを検知するものであり、かかる検知すべき箇所に設置されることとなる。
【００３１】
本発明にかかる建造物屋上等防水調査方法は、以上の各工程から構成される。すなわち、脱気筒１２から圧入された識別気体Ａは、建造物躯体１と防水層３との間に充満した後、防水工事の不具合箇所から漏れ出ることとなるが、必ずしも漏れ出るとは限らない。検知装置３０により識別気体Ａが検知された場合は、かかる検知箇所から識別気体Ａが漏れ出ていることを示しており、その箇所が即防水工事の不具合箇所であることを意味する。逆に、識別気体Ａが検知されなかった場合には、識別気体Ａの漏出がどこからも起こっていないこと示し、すなわち完璧な防水工事が行われたことを意味する。
【００３２】
本実施例にかかる建造物屋上等防水調査方法は、脱気筒１２から識別気体Ａを圧入する手段を採用することで、防水調査における建造物躯体１への負担をより軽減することができると共に、作業的にもより簡易な方法で調査可能であって、さらに従来の水張りによる調査では確認不可能であった屋上等の立ち上がり箇所なども確実に調査可能であると共に、防水工事における不具合箇所をピンポイントで検知することが可能であるため、検知後の補修工事をする際に、大いに役立つこととなる。
【産業上の利用可能性】
【００３３】
本発明は、防水調査における建造物躯体１への負担軽減に資すると共に、作業効率の向上にも資し、防水工事における不具合箇所を確実かつピンポイントで検知することが可能であって、検知後の補修工事のための情報提供にも大いに資することから、本発明にかかる建造物屋上等防水調査方法の産業上の利用可能性は非常に高いものと思料する。
【符号の説明】
【００３４】
１    建造物躯体
２    断熱材
３    防水層
１０    貫通孔
１２    脱気筒
２０    識別気体圧入装置
２１    ボンベ
２２    圧入ノズル
２３    ホース
３０    検知装置
Ａ    識別気体
【図１】
2014129654.tif 000003
【図２】
2014129654.tif 000004